(57)【特許請求の範囲】
【請求項１】
燃料を貯留する燃料タンク（２）と、前記燃料タンク（２）の給油口（３）に取付けられ、キーシリンダ（２０）に挿し込まれたキー（４９）の操作によって前記給油口（３）から開閉自在となる給油キャップ（４）と、該給油キャップ（４）に取付けられ前記キーシリンダ（２０）のキー穴を開閉自在に覆うキーカバー（１９）と、吸着剤によって蒸発燃料を吸着して貯留する蒸発燃料貯留器（６）と、前記燃料タンク（２）と前記蒸発燃料貯留器（６）とを連通させるチャージ通路（５）と、前記蒸発燃料貯留器（６）と内燃機関の吸気系（７）とを連通させるパージ通路（８）と、を備える車両の蒸発燃料処理装置において、
前記給油キャップ（４）には、前記チャージ通路（５）と前記燃料タンク（２）内部とを連通させる連通室（２５）が設けられ、
該連通室（２５）には、前記燃料タンク（２）の内圧が所定圧になったときに開き、前記燃料タンク（２）と前記蒸発燃料貯留器（６）とを連通させる開閉弁が設けられ、
前記キーカバー（１９）と前記開閉弁との間には、前記キーカバー（１９）を開く動作に連動して前記開閉弁を開放させる連係部材（３００）が設けられていることを特徴とする車両の蒸発燃料処理装置。
【請求項２】
前記開閉弁は、前記燃料タンク（２）の内圧が所定圧以上になったときに開き、前記燃料タンク（２）内に生じた蒸発燃料を前記連通室（２５）及び前記チャージ通路（５）を介して前記蒸発燃料貯留器（６）へ送る正圧調整弁（２７）と、前記燃料タンク（２）の内圧が所定圧以下になったときに開き、前記連通室（２５）及び前記チャージ通路（５）を介して前記蒸発燃料貯留器（６）から大気を前記燃料タンク（２）へ送る負圧調整弁（２６）とで構成され、前記連係部材（３００）は、前記正圧調整弁（２７）又は前記負圧調整弁（２６）に連係するように設けられることを特徴とする請求項１に記載の車両の蒸発燃料処理装置。
【請求項３】
前記キーカバー（１９）は、その基部（１９Ｂ）で前記給油キャップ（４）にヒンジ（１９Ａ）を介して開閉自在に取付けられ、前記基部（１９Ｂ）には押圧部（１９Ｄ）が形成され、前記キーカバー（１９）を開いたときに前記押圧部（１９Ｄ）が前記連係部材（３００）を押し下げ前記負圧調整弁（２６）を開放させることを特徴とする請求項２に記載の車両の蒸発燃料処理装置。
【請求項４】
前記連係部材（３００）は、前記押圧部（１９Ｄ）直下に設けられ、可撓性を有する押圧板（３０１）と、その下方に設けられた弾性シート（３０２）とからなり、前記負圧調整弁（２６）が前記弾性シート（３０２）に当接することを特徴とする請求項３に記載の車両の蒸発燃料処理装置。
【請求項５】
前記給油キャップ（４）の中心部に前記キーシリンダ（２０）が設けられ、該キーシリンダ（２０）の径方向外側に前記正圧調整弁（２７）及び前記負圧調整弁（２６）が周方向に並列に配置され、前記キーカバー（１９）に設けられる前記ヒンジ（１９Ａ）は、前記正圧調整弁（２７）及び前記負圧調整弁（２６）の上方に跨るように設けられ、前記押圧部（１９Ｄ）は前記負圧調整弁（２６）の上方のみに設けられることを特徴とする請求項４に記載の車両の蒸発燃料処理装置。
【請求項６】
前記連通室（２５）内には、前記燃料タンク（２）の内外の圧力差を検知し、該燃料タンク（２）内が所定圧以上であるときに前記キーシリンダ（２０）に対するキー操作を禁止するキー操作待ち機構が設けられることを特徴とする請求項１〜５のいずれか１項に記載の車両の蒸発燃料処理装置。
【発明の詳細な説明】
【技術分野】
【０００１】
本発明は、燃料タンク内部で発生した蒸発燃料を燃料タンク外部に導く車両の蒸発燃料処理装置に関する。
【背景技術】
【０００２】
特許文献１には、密閉式燃料タンクを備えた車両の蒸発燃料処理装置においてタンク内圧が高いときの給油時に給油口から蒸発燃料又は燃料がタンク外に流出するのを防ぐために、電子制御でタンク内圧を制御するシステムが開示されている。
【先行技術文献】
【特許文献】
【０００３】
【特許文献１】特開２００４−１５６４９６号公報
【発明の概要】
【発明が解決しようとする課題】
【０００４】
上記特許文献１に係るシステムは、比較的大型の四輪車両等では好適に用いることができるが、スペースが少なく廉価が求められ、また給油口の開閉をキー操作で直接行なう自動二輪車等では適用し難い点がある。
【０００５】
本発明は係る実情に鑑みてなされたものであり、簡易な構造で蒸発燃料が大気に流出することを抑制し、小型車両に好適に用い得る車両の蒸発燃料処理装置の提供を目的とする。
【課題を解決するための手段】
【０００６】
上記課題の解決手段として、請求項１に記載の発明は、燃料を貯留する燃料タンク（２）と、前記燃料タンク（２）の給油口（３）に取付けられ、キーシリンダ（２０）に挿し込まれたキー（４９）の操作によって前記給油口（３）から開閉自在となる給油キャップ（４）と、該給油キャップ（４）に取付けられ前記キーシリンダ（２０）のキー穴を開閉自在に覆うキーカバー（１９）と、吸着剤によって蒸発燃料を吸着して貯留する蒸発燃料貯留器（６）と、前記燃料タンク（２）と前記蒸発燃料貯留器（６）とを連通させるチャージ通路（５）と、前記蒸発燃料貯留器（６）と内燃機関の吸気系（７）とを連通させるパージ通路（８）と、を備える車両の蒸発燃料処理装置において、前記給油キャップ（４）には、前記チャージ通路（５）と前記燃料タンク（２）内部とを連通させる連通室（２５）が設けられ、該連通室（２５）には、前記燃料タンク（２）の内圧が所定圧になったときに開き、前記燃料タンク（２）と前記蒸発燃料貯留器（６）とを連通させる開閉弁が設けられ、前記キーカバー（１９）と前記開閉弁との間には、前記キーカバー（１９）を開く動作に連動して前記開閉弁を開放させる連係部材（３００）が設けられていることを特徴とする車両の蒸発燃料処理装置を提供する。
【０００７】
請求項２に記載の発明は、請求項１に記載の車両の蒸発燃料処理装置において、前記開閉弁は、前記燃料タンク（２）の内圧が所定圧以上になったときに開き、前記燃料タンク（２）内に生じた蒸発燃料を前記連通室（２５）及び前記チャージ通路（５）を介して前記蒸発燃料貯留器（６）へ送る正圧調整弁（２７）と、前記燃料タンク（２）の内圧が所定圧以下になったときに開き、前記連通室（２５）及び前記チャージ通路（５）を介して前記蒸発燃料貯留器（６）から大気を前記燃料タンク（２）へ送る負圧調整弁（２６）とで構成され、前記連係部材（３００）は、前記正圧調整弁（２７）又は前記負圧調整弁（２６）に連係するように設けられることを特徴とする。
【０００８】
請求項３に記載の発明は、請求項２に記載の車両の蒸発燃料処理装置において、前記キーカバー（１９）は、その基部（１９Ｂ）で前記給油キャップ（４）にヒンジ（１９Ａ）を介して開閉自在に取付けられ、前記基部（１９Ｂ）には押圧部（１９Ｄ）が形成され、前記キーカバー（１９）を開いたときに前記押圧部（１９Ｄ）が前記連係部材（３００）を押し下げ前記負圧調整弁（２６）を開放させることを特徴とする。
【０００９】
請求項４に記載の発明は、請求項３に記載の車両の蒸発燃料処理装置において、前記連係部材（３００）は、前記押圧部（１９Ｄ）直下に設けられ、可撓性を有する押圧板（３０１）と、その下方に設けられた弾性シート（３０２）とからなり、前記負圧調整弁（２６）が前記弾性シート（３０２）に当接することを特徴とする。
【００１０】
請求項５に記載の発明は、請求項４に記載の車両の蒸発燃料処理装置において、前記給油キャップ（４）の中心部に前記キーシリンダ（２０）が設けられ、該キーシリンダ（２０）の径方向外側に前記正圧調整弁（２７）及び前記負圧調整弁（２６）が周方向に並列に配置され、前記キーカバー（１９）に設けられる前記ヒンジ（１９Ａ）は、前記正圧調整弁（２７）及び前記負圧調整弁（２６）の上方に跨るように設けられ、前記押圧部（１９Ｄ）は前記負圧調整弁（２６）の上方のみに設けられることを特徴とする。
【００１１】
請求項６に記載の発明は、請求項２に記載の車両の蒸発燃料処理装置において、前記連通室（２５）内には、前記燃料タンク（２）の内外の圧力差を検知し、該燃料タンク（２）内が所定圧以上であるときに前記キーシリンダ（２０）に対するキー操作を禁止するキー操作待ち機構が設けられることを特徴とする。
【発明の効果】
【００１２】
請求項１に記載の発明によれば、給油キャップを開ける際のキーシリンダのキーカバーを開く動作に連動して開閉弁を開放させることで、給油キャップを開ける前に、燃料タンクの内圧を蒸発燃料貯留器側へ抜くことができるため、給油キャップを開けた際に燃料タンクの内圧に起因して蒸発燃料が大気に流出するのを抑制することができる。そして、キーカバーを開く動作を利用した簡易な構造で蒸発燃料が大気に流出するのを防ぐことができるため、利便性に優れ、小型車両に好適に適用できる。
【００１３】
請求項２に記載の発明によれば、走行中等は、正圧調整弁及び負圧調整弁によって燃料タンクを所定圧力となるまで密封状態とすることができるため、蒸発燃料貯留器へ送られる蒸発燃料量を減らすことができる。
【００１４】
請求項３に記載の発明によれば、簡易な構造で給油時（給油キャップを開ける前）の通常動作を利用し燃料タンク内の圧抜きを行い、燃料タンク内の蒸発燃料が外部に流出するのを抑制できる。
【００１５】
請求項４に記載の発明によれば、キーカバーの回動に付勢力を与える板バネとしての役割を押圧板に持たせ、弾性シートによって気密性を確保することができ、キーカバーの開閉の操作性を良好にしつつコンパクトに燃料タンク内の圧抜き機構を構成できる。
【００１６】
請求項５に記載の発明によれば、負圧調整弁の上方にのみ押圧部を設けることで、キーカバーへの適度な付勢力を確保しつつ、燃料タンク内の圧抜きを行なえる。
【００１７】
請求項６に記載の発明によれば、燃料タンク内の圧力が十分下がったときにキー操作を許可することで、蒸発燃料の大気への流出を確実性をもって抑制できる。
【図面の簡単な説明】
【００１８】
【図１】本発明の第１の実施形態に係る蒸発燃料処理装置の概略構成を示す図である。
【図２】第１の実施形態に係る蒸発燃料処理装置に係る給油キャップの断面図である。
【図３】第１の実施形態に係る蒸発燃料処理装置に係る給油キャップの上面図である。
【図４】第１の実施形態に係る蒸発燃料処理装置に係る給油キャップに設けられた正圧調整弁の周辺部位の断面図である。
【図５】第１の実施形態に係る蒸発燃料処理装置の操作方法を説明する図である。
【図６】本発明の第２の実施形態に係る蒸発燃料処理装置に係る給油キャップの断面図である。
【発明を実施するための形態】
【００１９】
以下、本発明の実施形態を図面に基づいて説明する。以下の説明で用いる図面においてＵＰは上方を示し、ＦＲは前方を示すものとし、説明の便宜上、下記実施形態ではこれらの方向を基準に説明を行うものとする。
【００２０】
＜第１の実施形態＞
図１は自動二輪車用の燃料タンクに適用された第１の実施形態に係る蒸発燃料処理装置１の概略構成を示しており、この蒸発燃料処理装置１は、燃料タンク２と、燃料タンク２の給油口３に開閉可能に取り付けられた給油キャップ４と、燃料タンク２を貫通して給油キャップ４に接続するチャージ配管５と、燃料タンク２外部でチャージ配管５に接続する蒸発燃料貯留器６と、蒸発燃料貯留器６と吸気系を構成する一部材であるコネクティングチューブ７とを連通させるパージ配管８とを備え、蒸発燃料貯留器６には大気を吸入するドレン管６Ａが設けられている。
【００２１】
図２に示すように燃料タンク２には、上部外壁から屈曲して凹んだ断面視で凹状の座部９が形成され、給油口３は平面視（上面視）で円形を呈し、座部９の略中央領域に形成されている。チャージ配管５は、給油キャップ４を介して燃料タンク２内部に連通し、蒸発燃料貯留器６に燃料タンク２内部で生じた蒸発燃料を送る。蒸発燃料貯留器６は内部に吸着剤を有し、チャージ配管５から送給された蒸発燃料を吸着させて貯留する。
【００２２】
給油キャップ４は、座部９に固定される円環状の外枠部１０と外枠部１０の内側に配置されたキャップ本体１１とを備えており、外枠部１０には複数の座ぐり孔１２が形成されている。給油キャップ４は外枠部１０の座ぐり孔１２にボルトを挿通されて座部９に固定されている。キャップ本体１１は外枠部１０にヒンジ１３によって連結され、図中回転矢印Ａ方向に開閉可能とされている。
【００２３】
キャップ本体１１の下面には円筒状のタンブラ１４が設けられ、タンブラ１４は上端縁にフランジ部１５を一体に有し、フランジ部１５に貫通される複数のネジ１５Ａによってキャップ本体１１の下面に固定されている。タンブラ１４には給油口３の内周面に圧接される樹脂材料からなるシール材１６が嵌め込まれている。シール材１６はタンブラ１４のフランジ部１５の内周側に一端を当接したスプリング１７によって下方に付勢されている。
【００２４】
シール材１６は上端部を外周方向に屈曲させ、この屈曲部をタンブラ１４のフランジ部１５の外周側から垂下する規制部材１８Ａに当接させることで位置規制される。なお、図中１８Ｂは規制部材１８Ａを固定する固定部材を示している。
【００２５】
キャップ本体１１の上部には、図中回転矢印Ｂ方向に開閉するキーカバー１９がヒンジ軸１９Ａによって連結され、キーカバー１９はキーシリンダ２０を外部に露出させる。キーシリンダ２０はタンブラ１４内に形成されたシリンダ室２１に収容され、その鍵穴を上方に臨ませる。キーカバー１９はヒンジ軸１９Ａに連結する基部１９Ｂと基部１９Ｂと一体に形成されキーシリンダ２０のキー穴を覆うカバー本体１９Ｃとで構成されている。
【００２６】
キーシリンダ２０は、キーを挿し込まれて回転されることで、キャップ本体１１のロック状態を解除する。具体的には、キーシリンダ２０にはキーの回転に応じてキーシリンダ２０の径方向に進退する図示しない係止片が設けられており、この係止片を燃料タンク２に設けられた図示しない制止部に係止することでキャップ本体１１の開放を規制する構成になっている。
【００２７】
タンブラ１４のシリンダ室２１の側方には、シリンダ室２１に平行に延出する連通室２５が形成され、この連通室２５の下端部は燃料タンク２内部に開口し、蒸発燃料及び液状の燃料を通過可能な例えばメッシュ状のフィルタ部材２４で覆われている。また連通室２５の上端部は、キーカバー１９の基部１９Ｂの直下に設けられた可撓性の金属材からなる押圧板３０１及び樹脂材料からなる弾性シート３０２で構成される連係部材３００によって気密性をもって覆われている。押圧板３０１及び弾性シート３０２は、キャップ本体１１においてキーカバー１９の基部１９Ｂの下方で貫通する穴を閉塞するようにキャップ本体１１に設けられている。
【００２８】
図３を参照し、連通室２５はタンブラ１４に穿設されるように形成された隣接した一対の筒状部２５Ａ，２５Ｂからなり、筒状部２５Ａには負圧調整弁２６が設けられ、筒状部２５Ｂには正圧調整弁２７が設けられている。負圧調整弁２６及び正圧調整弁２７によって連通室２５は、下方の燃料タンク２内部側と上方の燃料タンク２外部側とに分離されている。負圧調整弁２６は、燃料タンク２内部側から所定の付勢力で付勢され、燃料タンク２の内圧が所定圧以下になったときに開き、正圧調整弁２７は、燃料タンク２外部側から所定の付勢力で付勢され、燃料タンク２の内圧が所定圧以上になったときに開く。ここで、負圧調整弁２６及び正圧調整弁２７は、キーシリンダ２０に対しヒンジ１３と反対側に配置されている。また、負圧調整弁２６及び正圧調整弁２７はキーシリンダ２０の周方向に並列に配置されている。
【００２９】
図２に示すように負圧調整弁２６は、筒状部２５Ａの内周面から内径方向に突出して形成された孔部２８Ａを有する弁座２８と、弁座２８の孔部２８Ａに嵌合挿通される軸部２９及び軸部２９の下端に結合されて弁座２８に燃料タンク２の内側から当接する傘部３０を有する弁体３１と、フィルタ部材２４に一端を当接するとともに他端を弁体３１の傘部３０に当接して付勢するスプリング３２とで構成されている。スプリング３２はフィルタ部材２４と弁体３１との間に縮めて設けられており、弁体３１に所定の付勢力を付与している。
【００３０】
一方、図４に示すように正圧調整弁２７は、筒状部２５Ｂの内周面から内径方向に突出して形成された孔部３３Ａを有する弁座３３と、弁座３３の孔部３３Ａに挿通される軸部３４及び軸部３４の上端に結合されて弁座３３に燃料タンク２外側から当接する傘部３５を有する弁体３６と、キャップ本体１１の下面に一端を当接し、他端を弁体３６の傘部３５に当接して付勢するスプリング３７とで構成され、傘部３５を弁座３３に当接した閉塞時には、軸部３４が正圧調整弁２７の閉塞時に弁座３３から下方に突出している。スプリング３７はキャップ本体１１と弁体３６との間に縮めて設けられており、弁体３６に所定の付勢力を付与している。
【００３１】
弁座３３の下部には下方に向かうほど孔部３３Ａの内径を拡径する（大きくする）傾斜部３８が一体に形成されており、筒状部２５Ｂにおいて弁座３３の下方には、弁座３３とフィルタ部材２４との間で遊動自在な球体のロールオーバーバルブ５０が収容されている。ロールオーバーバルブ５０は、その径（直径）が筒状部２５Ｂの径に対して蒸発燃料を通過可能な程度にわずかに小さく設定されており、燃料タンク２が所定角度以上傾いたときに浸入してきた燃料にも押され正圧調整弁２７の軸部２９を押し上げ弁座３３（傾斜部３８）を閉塞して燃料の流出を防ぐ。ここでロールオーバーバルブ５０が傾斜部３８に当接することで両者の密着性が向上する。
【００３２】
図２を参照し、筒状部２５Ａ，２５Ｂの上端部はキャップ本体１１の下面で閉塞される一方、負圧調整弁２６及び正圧調整弁２７によって燃料タンク２内側と分離された筒状部２５Ａ，２５Ｂの上部側空間は互いに連通し、筒状部２５Ａの上部内周面からはフランジ部１５の径方向に延出するキャップ内チャージ通路３９が形成されている。キャップ内チャージ通路３９は、フランジ部１５の内部を貫通し、キャップ本体１１と座部９との間に形成される空間において下方に開口している。
【００３３】
キャップ内チャージ通路３９の下方に向いた開口には円筒状の円筒弾性部材４０が気密に結合されている。円筒弾性部材４０の下端部は、キャップ本体１１の閉じた状態で座部９に密接し、座部９に形成された連通開口４１を覆う。連通開口４１は座部９から燃料タンク２内部に貫通する孔であり、燃料タンク２の内部に配されたチャージ配管５に気密に接続されている。これにより、燃料タンク２内部から蒸発燃料貯留器６までの経路が形成される。
【００３４】
ここで、負圧調整弁２６の軸部２９の上端は弾性シート３０２に当接しており、押圧板３０１及び弾性シート３０２の上方に位置するキーカバー１９の基部１９Ｂはカム形状を呈し、基部１９Ｂは外径方向に突出する押圧部１９Ｄを一体に有している。押圧部１９Ｄのヒンジ軸１９Ａを中心とする回転軌跡上には押圧板３０１及び弾性シート３０２が位置しており、キーカバー１９が開くと押圧部１９Ｄは下方に変位して押圧板３０１及び弾性シート３０２を押圧し弁体３１が下がる。このようにキーカバー１９の開く動作に連動して負圧調整弁２６が開放することで、燃料タンク２内部から蒸発燃料貯留器６までの経路が連通することになる。
【００３５】
上記押圧板３０１は可撓性を有することで、キーカバー１９に対して付勢力を付与しており（閉じる方向に）、キーカバー１９の開閉の操作性を向上させている。ここで、キーカバー１９のヒンジ軸１９Ａは、図３に示すように、正圧調整弁２７及び負圧調整弁２６の上方に跨るように設けられており、上記押圧部１９Ｄは基部１９Ａにおいて負圧調整弁２６の上方のみに設けられている。このように負圧調整弁２６の上方にのみ押圧部１９Ｄを設ける場合には、キーカバー１９への適度な付勢力を確保できる。
【００３６】
また、図２に示すようにタンブラ１４には、シリンダ室２１下部と連通室２５下部とを連通させるダイヤフラム室４４が形成されている。ダイヤフラム室４４は、負圧調整弁２６によって仕切られる筒状部２５Ａの燃料タンク２内部側からキーシリンダ２０側に凹むように形成され、シリンダ室２１に貫通する連通路４４Ａを有してシリンダ室２１に連通する。ダイヤフラム室４４内にはダイヤフラム４５が設けられ、ダイヤフラム４５を挟んでダイヤフラム室４４のシリンダ室２１側は燃料タンク２内部から気相分離されている。
【００３７】
連通路４４Ａの延長上においてシリンダ室２１内のキーシリンダ２０の外周面には凹状の係合溝４６が形成され、ダイヤフラム４５には係合溝４６に係合可能な係合ピン４７が結合されている。ダイヤフラム室４４内の連通路４４Ａ側には、燃料タンク２の内圧に抗して係合ピン４７を係合溝４６に係合させない方向にダイヤフラム４５を付勢する付勢部材４８が収容されている。これにより、係合ピン４７は、燃料タンク２の内圧が高い場合にダイヤフラム４５が付勢部材４８を圧縮することで係合溝４６に係合しキーシリンダ２０の回転を規制する。また燃料タンク２の内圧が大気と平準化された場合に係合ピン４７は、ダイヤフラム４５が付勢部材４８に付勢されることで係合溝４６との係合を解除し、キーシリンダ２０の回転を許容する。
【００３８】
以上の構成の蒸発燃料処理装置１では、燃料タンク２の内圧が所定圧以下になり負圧調整弁２６が開放した場合には、燃料タンク２とチャージ配管５とが給油キャップ４を経由して連通するので、チャージ配管５を介して蒸発燃料貯留器６から大気を燃料タンク２へ送ることが可能となる。また、燃料タンク２の内圧が所定圧以上になった場合には、正圧調整弁２７が開放することで燃料タンク２とチャージ配管５とが給油キャップ４を経由して連通するので、燃料タンク２内に生じた蒸発燃料をチャージ配管５を介して蒸発燃料貯留器６へ送ることが可能となる。
【００３９】
また、図５を参照し、キーカバー１９を開いた場合には、キーカバー１９の基部１９Ｂ（押圧部１９Ｄ）が連係部材３００の押圧板３０１及び弾性シート３０２を押すことで負圧調整弁２６の弁体３１を押し下げ、負圧調整弁２６が開放される。このように負圧調整弁２６が開放されると、図中矢印に参照されるように、燃料タンク２内の内圧が、筒状部２５Ａ、キャップ内チャージ通路３９、円筒弾性部材４０、及びチャージ配管５を経由して蒸発燃料貯留器６側に抜ける。そして燃料タンク２の内圧が下がると、係合ピン４７が図中矢印方向に移動し係合溝４６との係合を解除し、キーシリンダ２０の回転が許容され、給油キャップ４を開くことが可能となる。なお、図中において４９はキーシリンダ２０に挿し込まれたキーを示している。
【００４０】
以上に記載したように本実施形態に係る蒸発燃料処理装置１では、給油キャップ４を開ける際のキーシリンダ２０のキーカバー１９を開く動作に連動して負圧調整弁２６を開放させることで、給油キャップ４を開ける前に、燃料タンク２の内圧を蒸発燃料貯留器６側へ抜くことができるため、給油キャップ４を開けた際に燃料タンク２の内圧に起因して蒸発燃料が大気に流出するのを防ぐことができる。そして、キーカバー１９を開く動作を利用した簡易な構造で蒸発燃料が大気に流出するのを防ぐことができるため、利便性に優れ、小型車両に好適に適用できる。また走行中等は、正圧調整弁２７及び負圧調整弁２６によって燃料タンク２を所定圧力となるまで密封状態とすることができるため、蒸発燃料貯留器６へ送られる蒸発燃料量を減らすことができる。
【００４１】
＜第２の実施形態＞
次に本発明の第２の実施形態について説明する。本実施形態ではダイヤフラム４５の構成が第１の実施形態と異なる。本実施形態における第１の実施形態と同様の構成要素については同一符号で示し説明を省略する。
【００４２】
図６に示すように本実施形態では、タンブラ１４に、第１の実施形態と同様にキーシリンダ２０と筒状部２５Ａに跨るダイヤフラム室６４が形成されている。ダイヤフラム室６４は、負圧調整弁２６によって仕切られる筒状部２５Ａの燃料タンク２内部側からキーシリンダ２０側に凹むように形成され、シリンダ室２１に貫通する連通路６４Ａを有してシリンダ室２１に連通する。ダイヤフラム室６４内の燃料タンク２側には、連通路４４Ａ側の気圧に抗して係合ピン４７を係合溝４６に係合させる方向にダイヤフラム４５を付勢する付勢部材６５が設けられている。付勢部材６５はダイヤフラム室６４の燃料タンク２側の縁部に形成された凸片６６に一端を支持されている。
【００４３】
本実施形態に係る構成では、燃料タンク２の内圧が高い場合に、ダイヤフラム４５がタンク内圧を受けるとともに、付勢部材４８に付勢されて、係合ピン４７が係合溝４６に係合し、キーシリンダ２０の回転を規制する。そして、燃料タンク２の内圧が低くなり、連通路４４Ａ側の気圧を下回った場合に、ダイヤフラム４５が付勢部材４８の付勢力に抗して変位して、係合ピン４７と係合溝４６との係合が解除させることで、キーシリンダ２０の回転が許容される。
【００４４】
以上で本発明の第１、第２の実施形態を説明したが本発明は上記実施形態に限定されるものではない。例えば、上記本発明の第１、第２の実施形態では、負圧調整弁２６を開放させることで燃料タンク２の内圧を抜く構成を説明したが、キーカバーの操作に伴い正圧調整弁２７を開放させる構成でも本発明と同様の効果が得られる。
【符号の説明】
【００４５】
１  蒸発燃料処理装置
２  燃料タンク
５  チャージ通路
６  蒸発燃料貯留器
８  パージ通路
２０  キーシリンダ
２５  連通室
２６  負圧調整弁
２７  正圧調整弁
４９  キー
３００  連係部材
３０１  押圧板
３０２  弾性シート
【図１】
0005735317.tif 000002
【図２】
0005735317.tif 000003
【図３】
0005735317.tif 000004
【図４】
0005735317.tif 000005
【図５】
0005735317.tif 000006
【図６】
0005735317.tif 000007